(57)【要約】【課題】温室栽培などにおいて、植物に対して、局所的に、かつ、効果的に温度制御を行うことによって、省エネや地球温暖化防止対策を図ることができ、かつ、経済性、作業性及び使い勝手などに優れた温度制御用シート、植物栽培用温度制御方法、植物栽培用温度制御装置、植物栽培用ユニット、及び、植物栽培用プラントの提供を目的とする。【解決手段】温度制御用シート１は、重ねられた柔軟性を有するシート本体１１と、シート本体１１どうしを接合する複数の接合部分１２と、隣り合う接合部分１２により挟まれたシート本体１１によって形成される複数の流路１３と、管と流路１３とを連結するための連結部１４とを有する。【選択図】  図１
2012170349.tif 000002
【特許請求の範囲】
【請求項１】
重ねられた柔軟性を有するシート本体と、
前記シート本体の長手方向に沿って、かつ、前記シート本体の短手方向に所定の間隔をあけて、前記シート本体の長手方向の一方の端部から他方の端部まで、前記シート本体どうしを連続的に接合する複数の接合部分と、
隣り合って対向する前記接合部分により挟まれた前記シート本体によって形成され、加温用流体又は冷却用流体が流れる複数の流路と、
前記加温用流体又は冷却用流体を供給及び回収する管と前記流路とを連結するための連結部と
を有することを特徴とする温度制御用シート。
【請求項２】
前記連結部が、前記接合部分に切込みを入れることにより形成され、前記流路に対応する前記シート本体、及び、前記流路に対応する前記接合部分を有することを特徴とする請求項１に記載の温度制御用シート。
【請求項３】
前記シート本体が、樹脂製の筒状のシートであることを特徴とする請求項１又は２に記載の温度制御用シート。
【請求項４】
前記シート本体及び前記接合部分の少なくとも一つに、複数の開口部が形成されたことを特徴とする請求項１〜３のいずれか一項に記載の温度制御用シート。
【請求項５】
前記接合部分に、前記シート本体の長手方向に沿ってミシン目が形成されたことを特徴とする請求項１〜４のいずれか一項に記載の温度制御用シート。
【請求項６】
前記温度制御用シートが、植物の近傍に設置されることを特徴とする請求項１〜５のいずれか一項に記載の温度制御用シート。
【請求項７】
植物の近傍であって、垂直方向及び／又は水平方向の所定範囲内に、上記請求項１〜６のいずれか一項に記載の温度制御用シートを設置し、前記複数の流路に加温用流体又は冷却用流体を流すことを特徴とする植物栽培用温度制御方法。
【請求項８】
前記植物の近傍が、前記植物の特定の部分の近傍であることを特徴とする請求項７に記載の植物栽培用温度制御方法。
【請求項９】
植物の近傍であって、垂直方向及び／又は水平方向の所定範囲内に設置される上記請求項１〜６のいずれか一項に記載の温度制御用シートと、
前記温度制御用シートに、前記加温用流体又は冷却用流体を供給する流体供給手段と、
前記温度制御用シートを取り付けるための取付け手段と
を備えたことを特徴とする植物栽培用温度制御装置。
【請求項１０】
前記植物の近傍が、前記植物の特定の部分の近傍であることを特徴とする請求項９に記載の植物栽培用温度制御装置。
【請求項１１】
前記取付け手段が、前記温度制御用シートを吊るすための紐状体、又は、網目状体を有し、前記温度制御用シートが、該温度制御用シートの流路に挿入された管状体、又は、棒状体を介して、前記紐状体、又は、前記網目状体に吊るされることを特徴とする請求項９又は１０に記載の植物栽培用温度制御装置。
【請求項１２】
前記取付け手段が、前記温度制御用シートを昇降させる昇降装置、及び／又は、前記温度制御用シートを水平移動させる水平移動装置を有することを特徴とする請求項９〜１１のいずれか一項に記載の植物栽培用温度制御装置。
【請求項１３】
前記植物の近傍の温度を測定する温度センサと、この温度センサからの測定信号にもとづいて、前記流体供給手段を制御する制御手段とを備えたことを特徴とする請求項９〜１２のいずれか一項に記載の植物栽培用温度制御装置。
【請求項１４】
前記温度センサが、黒色塗装された金属板、この金属板の裏面に取り付けられた温度測定部、及び、この温度測定部を覆うように前記金属板の裏面に取り付けられた断熱部材を有することを特徴とする請求項１３に記載の植物栽培用温度制御装置。
【請求項１５】
前記複数の流路に、前記加温用流体又は冷却用流体を、直列的及び／又は並列的に流すための弁を備えたことを特徴とする請求項９〜１４のいずれか一項に記載の植物栽培用温度制御装置。
【請求項１６】
一又は二以上の吊り下げ式又は載置式の栽培用ベッドと、
上記請求項９〜１５のいずれか一項に記載の植物栽培用温度制御装置と
を備えたことを特徴とする植物栽培用ユニット。
【請求項１７】
前記栽培用ベッドが細長い矩形箱状であり、前記植物が、前記栽培用ベッドの長手方向に並べて複数列に植えられており、前記温度制御用シートが、前記並べて植えられた植物の複数列の間に設けられていることを特徴とする請求項１６に記載の植物栽培用ユニット。
【請求項１８】
前記栽培用ベッドが細長い矩形箱状であり、前記複数の流路が前記栽培用ベッドの短手方向に移動することを抑制するための、支柱が設けられていることを特徴とする請求項１６又は１７に記載の植物栽培用ユニット。
【請求項１９】
前記支柱は、該支柱の上部が、上部位置決め手段により位置決めされた状態で、前記栽培用ベッドのフレームに吊るされ、かつ、前記支柱の下部が、下部位置決め手段により該支柱の自重を受けることなく位置決めされていることを特徴とする請求項１８に記載の植物栽培用ユニット。
【請求項２０】
前記栽培用ベッドが細長い矩形箱状であり、前記植物が、前記栽培用ベッドの長手方向に並べて植えられており、前記温度制御用シートが、前記並べて植えられた植物の上方向、下方向及び側面方向の少なくとも一つの方向に設けられていることを特徴とする請求項１６に記載の植物栽培用ユニット。
【請求項２１】
一又は二以上の吊り下げ式又は載置式の栽培用ベッドと、
上記請求項９〜１５のいずれか一項に記載の植物栽培用温度制御装置と、
前記栽培用ベッドを収容する建物と
を備えたことを特徴とする植物栽培用プラント。
【請求項２２】
前記栽培用ベッドを水平方向に移動させる移動手段を備えたことを特徴とする請求項２１に記載の植物栽培用プラント。
【請求項２３】
前記移動手段により密集させた植物を収容する一又は二以上の温度制御室を備えたことを特徴とする請求項２２に記載の植物栽培用プラント。
【請求項２４】
前記温度制御室が、農薬を散布する農薬散布手段を有することを特徴とする請求項２３に記載の植物栽培用プラント。
【発明の詳細な説明】
【技術分野】
【０００１】
本発明は、温室栽培などにおいて、植物に対して、局所的に、かつ、効果的に温度制御を行うことによって、省エネや地球温暖化防止対策を図ることができ、かつ、経済性、作業性及び使い勝手などに優れた温度制御用シート、植物栽培用温度制御方法、植物栽培用温度制御装置、植物栽培用ユニット、及び、植物栽培用プラントに関する。
【背景技術】
【０００２】
トマト、キュウリ、ほうれん草などの生鮮野菜は、消費者のニーズに応じて年間栽培されており、スーパーなどの売り場に供給されている。すなわち、冬場や高冷地などでは、ガラスやビニール製の温室内に暖房装置を設置し、植物の生育に必要な熱を供給することによって、野菜などの周年栽培が行われている。
【０００３】
上記暖房装置として、通常、Ａ重油を燃料とする温風型加温機が用いられているが、他に、温水を循環させる管、電気式ヒータ又は発熱ランプなどを用いた装置が使用されている。
また、暖房装置の構成や暖房方法によっては、暖房コスト（たとえば、Ａ重油やＬＰＧなどの燃料費、あるいは、電気代）などを削減することができることから、様々な技術が提案されている。
【０００４】
本発明に関連する技術として、たとえば、特許文献１には、イチゴ類のハウス栽培における土耕栽培法、あるいはベンチ栽培法おいて、軟質樹脂管内に挿入水を有する構造であり、栽培土壌上に設置されるイチゴ類栽培補助用長尺ピロー（適宜、長尺ピローと略称する。）の技術が開示されている。この長尺ピローは、耳部を有するシーム管タイプであったり、また、複数の長尺ピローがつないで用いられる場合、各長尺ピローの端部に排水口と注入口に連なる連結管が設けられるといった特徴を有している。
【０００５】
また、特許文献２には、温度制御室の構造体や土壌に沿って配置された弾力的な配管を有し、該配管は、管壁を加熱する高温熱媒体を管路内に収容し、該管壁と室内環境との熱交換作用により温度制御室の室内雰囲気温度や土壌温度を制御する熱媒体循環配管を形成することを特徴とする環境制御装置の技術が開示されている。
【０００６】
また、特許文献３、及び、特許文献４には、平面状の袋に千鳥状の流路を形成し、該袋の上方から下方に温水を流すことにより、温室を加温する方法などの技術が開示されている。
【０００７】
また、特許文献５には、水を入れ、その水を循環させる機能を持つビニール製の敷物（カーペット）の技術が開示されている。この敷物は、循環させる機能を持たせる為に２枚のビニールシートが重ねられており、蛇の歩みのごとく、誘導の道筋が溶着されることにより製作されているといった特徴を有している。
【先行技術文献】
【特許文献】
【０００８】
【特許文献１】特開２００７−３００９０８号公報
【特許文献２】特開平９−２６６７３０号公報
【特許文献３】特開昭５６−２５６８７号公報
【特許文献４】特開昭５６−２５６８８号公報
【特許文献５】特開２００４−２４２６５８号公報
【発明の概要】
【発明が解決しようとする課題】
【０００９】
しかしながら、上述した特許文献１の技術は、栽培土壌畝上に、イチゴ株のクラウン部を避けて、複数（たとえば、３本）のフレキシブルな長尺ピローを載置する必要があり、位置精度よく載置することがほぼ不可能であり、また、載置したとしても不安定であり、作業性や使い勝手などを向上させる必要があった。
【００１０】
また、特許文献２の技術は、複数の弾力的な配管（管路集合体などを含む。）の構造が複雑であるとともに、材質がゴムや合成樹脂であり、販売価格が高額となるおそれがあった。すなわち、通常のハウスは数a（アール、１ａ＝１００ｍ２）から数十aの広さがあり、畝長は１０ａあたり数百ｍにおよぶ。この広大な温室をまんべんなく加温するには、管路集合体を大量に敷設する必要があり、多大なコストがかかる。例えば、市販の散水ホースでも単価が１００円〜２００円／ｍであり、５００ｍの散水ホース代が５〜１０万円となる。したがって、同様の材質で管路集合体を製造すると、価格はこの数倍にもなり、経済性などを向上させる必要があった。
さらに、ロールした管路集合体の重量は、一人で持ち運ぶことが困難なものとなる。すなわち、土耕の温室では、数ヶ月〜1年に一度の作替えの際に、耕運機等を使って土壌を耕し直すのが一般的だが、農家がこれだけの重量のものを毎回掘り起こして撤去し、また、敷設しなおすのは現実性に欠ける。したがって、作業性や使い勝手などを向上させる必要があった。
【００１１】
また、特許文献１、２の技術は、複数の長尺ピローや弾力的な配管が、培土に対して水平方向に設置され、植物の地際部や根部などを加温する。これらの技術は、イチゴや苗などの小さな植物や葉菜類など、あるいは、草丈の低い植物にとっては有効であるが、トマト、キュウリ及びピーマンなどの地上から１ｍ以上の草丈に生長させる、地這いではなく立ち性で栽培する植物にとっては、熱が植物の必要な個所に届かないために、効果的に植物を加温することができないといった問題があった。
【００１２】
すなわち、植物栽培用温度制御方法などにおいては、暖房コストを削減すること（省エネを図ること）ができ、たとえば、原油の高騰にともない、燃料費（たとえば、Ａ重油やＬＰＧ）などの高騰が栽培農家の収益を圧迫するといった事態を回避することのできる実用的な技術が要望されている。
また、地球温暖化防止対策を積極的に行うことは、極めて重要であり、二酸化炭素を極力排出しない、エネルギー効率に優れた暖房技術が要望されている。
さらに、夏場の高温期に高温障害を起こす植物栽培においては、安価な冷房技術を提供することも要望されている。
【００１３】
また、特許文献３、４、５の技術は、シートなどを重ね合わせて一部を接着や溶着し、水路を形成する点で類似するが、水の入出口が最初からシートに組み込まれており、植栽状況に合わせて（たとえば、畝の幅方向や長さ方向に応じて）大きさを変えることができず、使い勝手などを向上させる必要があった。
さらに、接着された流路によって、水路の流れのパターンも規定されてしまうため、状況にあわせて流路を変え、放熱量や流量を調節することは困難であり、経済性や使い勝手などを向上させる必要があった。
【００１４】
本発明は、以上のような問題などを解決するために提案されたものであり、温室栽培などにおいて、植物に対して、局所的に、かつ、効果的に温度制御を行うことによって、省エネや地球温暖化防止対策を図ることができ、かつ、経済性、作業性及び使い勝手などに優れた温度制御用シート、植物栽培用温度制御方法、植物栽培用温度制御装置、植物栽培用ユニット、及び、植物栽培用プラントの提供を目的とする。
【課題を解決するための手段】
【００１５】
上記目的を達成するため、本発明の温度制御用シートは、重ねられた柔軟性を有するシート本体と、シート本体の長手方向に沿って、かつ、シート本体の短手方向に所定の間隔をあけて、シート本体の長手方向の一方の端部から他方の端部まで、シート本体どうしを連続的に接合する複数の接合部分と、隣り合って対向する接合部分により挟まれたシート本体によって形成され、加温用流体又は冷却用流体が流れる複数の流路と、加温用流体又は冷却用流体を供給及び回収する管と流路とを連結するための連結部とを有する構成としてある。
【００１６】
また、本発明の植物栽培用温度制御方法は、植物の近傍であって、垂直方向及び／又は水平方向の所定範囲内に、上記の温度制御用シートを設置し、複数の流路に加温用流体又は冷却用流体を流す方法としてある。
【００１７】
また、本発明の植物栽培用温度制御装置は、植物の近傍であって、垂直方向及び／又は水平方向の所定範囲内に設置される上記の温度制御用シートと、温度制御用シートに、加温用流体又は冷却用流体を供給する流体供給手段と、温度制御用シートを取り付けるための取付け手段とを備えた構成としてある。
【００１８】
また、本発明の植物栽培用ユニットは、一又は二以上の吊り下げ式又は載置式の栽培用ベッドと、上記の植物栽培用温度制御装置とを備えた構成としてある。
【００１９】
また、本発明の植物栽培用プラントは、一又は二以上の吊り下げ式又は載置式の栽培用ベッドと、上記の植物栽培用温度制御装置と、栽培用ベッドを収容する建物とを備えた構成としてある。
【発明の効果】
【００２０】
本発明の温度制御用シート、植物栽培用温度制御方法、植物栽培用温度制御装置、植物栽培用ユニット、及び、植物栽培用プラントによれば、温室栽培などにおいて、植物に対して、局所的に、かつ、効果的に温度制御を行うことによって、省エネや地球温暖化防止対策を図ることができ、かつ、経済性、作業性及び使い勝手などを向上させることができる。
【図面の簡単な説明】
【００２１】
【図１】図１は、本発明の一実施形態にかかる温度制御用シートの概略図であり、（ａ）は平面図を示しており、（ｂ）はＡ−Ａ拡大断面図を示している。
【図２】図２は、本発明の一実施形態にかかる温度制御用シートの使用状態を説明するための概略拡大斜視図を示している。
【図３ａ】図３ａは、本発明の第一応用例にかかる温度制御用シートの概略平面図を示している。
【図３ｂ】図３ｂは、本発明の第二応用例にかかる温度制御用シートの概略平面図を示している。
【図３ｃ】図３ｃは、本発明の第三応用例にかかる温度制御用シートの概略平面図を示している。
【図４】図４は、本発明の一実施形態にかかる植物栽培用温度制御装置の要部の概略図であり、（ａ）は正面図を示しており、（ｂ）は側面図を示している。
【図５】図５は、本発明の一実施形態にかかる植物栽培用温度制御装置の、第一応用例を説明するための要部の概略図を示している。
【図６】図６は、本発明の一実施形態にかかる植物栽培用温度制御装置の、第二応用例を説明するための要部の概略図を示している。
【図７】図７は、本発明の一実施形態にかかる植物栽培用ユニットの要部の概略斜視図を示している。
【図８】図８は、本発明の一実施形態にかかる植物栽培用ユニットの、支柱を説明するための要部の概略斜視図であり、（ａ）は垂直状態の拡大図を示しており、（ｂ）は傾斜状態の拡大図を示している。
【図９】図９は、本発明の一実施形態にかかる植物栽培用ユニットの、応用例を説明するための要部の概略図を示している。
【図１０】図１０は、本発明の一実施形態にかかる植物栽培用プラントの要部の概略図を示している。
【図１１】図１１は、本発明の一実施形態にかかる植物栽培用プラントの、昼間における要部の概略図を示している。
【発明を実施するための形態】
【００２２】
［温度制御用シートの実施形態］
図１は、本発明の一実施形態にかかる温度制御用シートの概略図であり、（ａ）は平面図を示しており、（ｂ）はＡ−Ａ拡大断面図を示している。
また、図２は、本発明の一実施形態にかかる温度制御用シートの使用状態を説明するための概略拡大斜視図を示している。
図１、２において、本実施形態の温度制御用シート１は、シート本体１１、接合部分１２、流路１３及び連結部１４などを有する構成としてある。この温度制御用シート１は、後述するように植物の近傍に設置され、植物に対する温度制御に用いられる。
なお、本実施形態の温度制御用シート１は、植物に対する温度制御に用いられるが、用途はこれに限定されるものではなく、たとえば、局所的に温度制御を行う様々な用途に用いることができる。
【００２３】
（シート本体）
シート本体１１は、重ねられた柔軟性を有するシート（表面側のシートと裏面側のシート）であり、後述するようにシート本体１１どうしを（表面側のシートと裏面側のシートとを）接合（溶着や接着など）することにより、加温用流体又は冷却用流体を流す複数の流路１３が形成される。
【００２４】
ここで、好ましくは、シート本体１１が、樹脂製の筒状のシートであるとよい。この樹脂製の筒状のシートとして、たとえば、農業用ポリダクトなどが挙げられる。この農業用ポリダクトは、透明なポリエチレン製であり、柔軟性に優れ、軽量かつ薄手（たとえば、厚さは、０．０５〜０．３ｍｍであり、好ましくは、０．1〜０．２ｍｍである。）の筒状のシートである。また、農業用ポリダクトは、直径が約３００ｍｍ〜６００ｍｍ程度が一般的であり、ロールされた状態で安価に市販されている。
【００２５】
このようにすると、ロールから巻き出される筒状のシートが、重ねられたシート（表面側のシートと裏面側のシート）となるので、たとえば、二枚のシートを重ねるより、あるいは、一枚のシートを折り重ねるより、シート本体１１を接合する際の作業性などを向上させることができる。また、シート本体１１として樹脂製の筒状のシート（たとえば、農業用ポリダクトなど）を用いると、価格が廉価であることから、温度制御用シート１の経済性を大幅に向上させることができる。さらに、樹脂製のシートを無色透明としてあるので、植物に照射される日光を遮るといった不具合を回避することができる。
【００２６】
なお、表面側のシートと裏面側のシートは、通常、樹脂製の単層のシートであるが、これに限定されるものではなく、たとえば、一方のシートを気泡シートや、アルミ蒸着層と樹脂層を有する複合シートなどとしてもよい。このようにすると、他方のシート側の領域を温度制御する場合、気泡シートや複合シートの断熱性により、加温用流体や冷却用流体の熱を他方のシート側の領域に効果的に伝達できるので、温度制御用シート１の性能を向上させることができる。
【００２７】
（接合部分）
接合部分１２は、シート本体１１の長手方向に沿って、かつ、シート本体１１の短手方向に所定の間隔（Ｗ０）をあけて、シート本体１１の長手方向の一方の端部から他方の端部まで、シート本体１１どうしを連続的に接合している。また、接合部分１２は、７箇所において、シート本体１１どうしを接合している。すなわち、温度制御用シート１は、重ねられた樹脂製の筒状のシートであるシート本体１１に対して、７箇所に接合部分１２（幅寸法はＷ１である。）が形成されており、これにより、８つの流路１３を有している。
また、樹脂製のシートに対しては、通常、接合として溶着が行われる。すなわち、接着する場合などと比べると、接着剤の費用を削減でき、また、強度・耐久性・作業性も優れているので、廉価な温度制御用シート１を提供することができる。特に、ポリエチレンシートは１２０℃程度で容易に溶着できることから、シート素材にはポリエチレンを用いることが望ましい。
【００２８】
なお、本実施形態では、重ねられたシート本体１１の幅寸法Ｗに対して、Ｗ＝８Ｗ０＋７Ｗ１としてあり、同じ幅寸法を有する接合部分１２を等間隔で配設してあるが、これに限定されるものではない。たとえば、接合部分１２の数、各接合部分１２の幅寸法、及び、隣り合う接合部分１２の間隔などは、使用状況などに応じて、適宜、設定することができる。
【００２９】
（流路）
流路１３は、隣り合って対向する接合部分１２により挟まれたシート本体１１によって形成され、加温用流体又は冷却用流体が流れる。また、本実施形態の温度制御用シート１は、８つの流路１３を有している。なお、本実施形態では、シート本体１１を筒状のシートとしてあるので、短手方向の両端部の流路１３においては、シートの折り返し部分が、接合部分１２として機能している。このような流路１３も、隣り合って対向する接合部分１２により挟まれたシート本体１１によって形成される流路１３に含まれるものとする。
また、流路１３の形状は、シート本体１１が柔軟性を有することにより、設置の状態や、加温用流体又は冷却用流体の流量などに応じて定まる。たとえば、流量が多いと、ほぼ円形（この円の直径ｄは、ｄ＝２Ｗ０／π）となる。
【００３０】
なお、流路１３は、後述するように温度制御用シート用パイプ４１２やワイヤー（図示せず）などを通すことにより、温度制御用シート１を吊り下げる場合の支持部として機能し、このようにすると、温度制御用シート１を容易に、かつ、安全に吊り下げることができる。
【００３１】
（連結部）
連結部１４は、加温用流体又は冷却用流体を供給及び回収する管など（図２においては、供給用ホース３１）と流路１３とを連結するための部位である。本実施形態の連結部１４は、接合部分１２に切込み１２１を入れることにより形成され、各流路１３に対応するシート本体１１、及び、各流路１３に対応する接合部分１２を有する。すなわち、切込み１２１は、接合部分１２の長手方向の端部から所定の長さ（たとえば、数ｃｍ〜十数ｃｍ）を有している。これにより、所定の長さを有する連結部１４が形成される。この連結部１４は、各流路１３に対応するシート本体１１、及び、各流路１３に対応する接合部分１２を有し、一本のホースのような形状となるので、たとえば、ジョイント２１及びホースバンド２１１を介して供給用ホース３１などと容易に連結される（図２参照）。
【００３２】
ここで、温度制御用シート１は、各流路１３が連結部１４を有することにより、たとえば、流路１３どうしを連結ホース２０で連結することができ、各流路１３の流れのパターンを直列パターンや並列パターンに自在に設定することができる。
これにより、温室内の場所によって、温度制御用シート１に対する流れのパターン（直列パターンや並列パターン等）を使い分け、温室内全体として均一な温度制御を実現することができる。たとえば、冷えやすい温室の壁際付近の温度制御用シート１に対し、各流路１３を並列に接続し、各流路１３に大量の温水を流し、十分な放熱量を確保し、また、比較的冷えにくい温室の中央側の温度制御用シート１に対し、各流路１３を直列に接続し、少量の温水の熱を無駄なく利用する等の組み合わせで、効率的で均一な暖房を行うことができる。また、全ての畝で直列パターンを採用する場合にも、壁際の温度制御用シート１は流路１３の数を増やし、中央側の温度制御用シート１は流路１３の数を減らす等の調節も容易に行うことができる。すなわち、温室気温が場所によって異なると、一番低い気温の場所にあわせて暖房を調節しなければならず（作物ごとに最低温度が決まっているため）、結果的に過剰暖房の場所も発生してしまい、省エネルギーが実現できないといった不具合を回避でき、温室内の温度ムラの抑制を容易に実現することができる。
【００３３】
次に、上記構成の温度制御用シート１の使用方法などについて説明する。
まず、工場から出荷される温度制御用シート１は、通常、ロールに巻き取られた状態である。ここで、温度制御用シート１は、容易に大量生産が可能であり、廉価である。これにより、たとえば、農家の方（適宜、農業者と略称する。）にとっては、容易に購入でき、また、廃棄も容易である。
【００３４】
次に、温度制御用シート１を購入した農業者は、作物の植栽状況（畝の長さなど）に応じて、温度制御用シート１を短手方向に切断する。また、加温や冷却する熱量に応じて、温度制御用シート１を長手方向に切断する。これにより、必要な数の流路１３を用意することができる。続いて、切断された温度制御用シート１に対して、切込み１２１を入れ、使用する温度制御用シート１を用意する。ここで、農業者が使用する温度制御用シート１の形状や大きさなどは様々であるが、農業者は、温度制御用シート１を切断することによって、所望する温度制御用シート１を容易に用意することができる。
【００３５】
次に、農業者は、用意した温度制御用シート１を植物の近傍に設置する。すなわち、温度制御用シート１は、植物の近傍に、垂直方向（流路１３が垂直方向に並ぶ状態で）や水平方向（流路１３が水平方向に並ぶ状態で）に設置され、流路１３に温水又は冷水を流すことにより、植物の生育に必要な温冷熱を局所的に与えることができる。
また、温度制御用シート１は、軽量であることから、設置、移動、位置調整、撤去などを容易に行うことができる。
【００３６】
以上説明したように、本実施形態の温度制御用シート１によれば、廉価であることにより、経済性を向上させることができ、また、農業者が所望する形状や大きさの温度制御用シート１を容易に用意することができるので、使い勝手や作業性などを向上させることができる。
また、本実施形態は、様々な応用例を有している。
次に、本実施形態の応用例について、図面を参照して説明する。
【００３７】
＜植物栽培用温度制御方法の第一応用例＞
図３ａは、本発明の第一応用例にかかる温度制御用シートの概略平面図を示している。
図３ａにおいて、第一応用例の植物栽培用温度制御方法ａは、上述した温度制御用シート１と比べると、流路１３となるシート本体１１の一部に、複数の開口部１１１が形成された点などが相違する。なお、本応用例の他の構成は、温度制御用シート１とほぼ同様としてある。
したがって、図３ａにおいて、図１と同様の構成部分については同一の符号を付して、その詳細な説明を省略する。
【００３８】
開口部１１１は、ほぼ矩形状であり、流路１３となるシート本体１１の一部に（本応用例では、上から２、４、６、８段目の流路１３に対応するシート本体１１に）並設されている。このようにすると、温度制御用シート１ａは、地面に水平に敷設されると、開口部１１１から作物が定植され、背丈の低い作物に対して、効果的に局所的な温度制御を行うことができる。また、温度制御用シート１ａは、作物間に縦置きされた場合（流路１３が垂直方向に並ぶ状態で設置された場合）、散布された消毒液が複数の開口部１１１を通り抜けるので、温度制御用シート１ａの向こう側の作物にも消毒液を吹き付けることができる。
【００３９】
このように、本応用例の温度制御用シート１ａは、一実施形態の温度制御用シート１とほぼ同様の効果を奏するとともに、地面に水平に敷設された際の作業性などを向上させることができ、また、作物間に縦置きされた際の使い勝手などを向上させることができる。
【００４０】
＜植物栽培用温度制御方法の第二応用例＞
図３ｂは、本発明の第二応用例にかかる温度制御用シートの概略平面図を示している。
図３ｂにおいて、第二応用例の温度制御用シート１ｂは、上述した第一応用例と比べると、接合部分１２ｂの一部に、複数の開口部１２２が形成された点などが相違する。なお、本応用例の他の構成は、第一応用例とほぼ同様としてある。
【００４１】
温度制御用シート１ｂは、４つの接合部分１２ｂと３つの流路１３を有しており、上から２段目と３段目の接合部分１２ｂに、ほぼ円形の開口部１２２が並設されている。また、接合部分１２ｂの両側には、ほぼ矩形状の切込み１２１ｂが形成されている。
この温度制御用シート１ｂは、たとえば、イチゴなどの畝に敷設され、開口部１２２にイチゴなどが定植される。ここで、イチゴは、根本のクラウンと呼ばれる場所を、集中的に暖めたり、冷やしたりすることで生育を促進することが知られている。この温度制御用シート１ｂによれば、より簡易にクラウンを局所的に加温や冷却ができ、また、近接する葉、土壌中の根なども暖める局所暖房効果（あるいは、冷やす局所冷却効果）をも得ることができ、温度制御をより効果的に行うことができる。
さらに、温度制御用シート１ｂは、各流路１３が接合部分１２ｂを介してつながっているので、畝に載置する際、容易に、かつ、安定した状態で載置することができ、作業性などを向上させることができる。
【００４２】
このように、本応用例の温度制御用シート１ｂは、第一応用例とほぼ同様の効果を奏するとともに、温度制御をより効果的に行うことができる。また、温度制御用シート１ｂは、各流路１３が接合部分１２ｂによってつながっているので、容易に、かつ、安定した状態で畝に載置することができ、作業性などを向上させることができる。
なお、接合部分１２ｂの幅寸法や開口部１２２の大きさなどは、栽培される植物に応じて、適宜、設定される。
【００４３】
＜植物栽培用温度制御方法の第三応用例＞
図３ｃは、本発明の第三応用例にかかる温度制御用シートの概略平面図を示している。
図３ｃにおいて、第三応用例の温度制御用シート１ｃは、上述した第二応用例と比べると、接合部分１２ｂに、シート本体１１ｂの長手方向に沿ってミシン目１２３が形成された点などが相違する。なお、本応用例の他の構成は、第二応用例とほぼ同様としてある。
したがって、図３ｃにおいて、図３ｂと同様の構成部分については同一の符号を付して、その詳細な説明を省略する。
【００４４】
ミシン目１２３は、接合部分１２ｂに形成されており、温度制御用シート１ｃを長手方向に切断する際、ハサミなどを使用しなくても容易に切り離すことができ、作業性などを向上させることができる。
また、一つの畝に、一又は二以上の列で作物を植える場合、列の数に応じて、農業者が容易に温度制御用シート１ｃを切断することができるので、使い勝手などを向上させることができる。
【００４５】
このように、本応用例の温度制御用シート１ｃは、第二応用例とほぼ同様の効果を奏するとともに、作物を植える列の数に応じて、容易に温度制御用シート１ｃを切断することができるので、使い勝手などを向上させることができる。
【００４６】
［植物栽培用温度制御装置の実施形態］
図４は、本発明の一実施形態にかかる植物栽培用温度制御装置の要部の概略図であり、（ａ）は正面図を示しており、（ｂ）は側面図を示している。
図４において、本実施形態の植物栽培用温度制御装置１０１は、上述した温度制御用シート１、複数のホース２、流体供給手段３、取付け手段４、及び、制御手段５などを備えた構成としてある。この植物栽培用温度制御装置１０１は、流体供給手段３から温度制御用シート１やホース２に温水が供給されることによって、トマト２０１を加温する。
【００４７】
（トマト）
トマト２０１は、たとえば、温室内で水耕栽培されており、ベッド（図示せず）から１ｍ以上の草丈に生長する。このため、トマト２０１の先端部側は、ベッドとほぼ平行に張られた樹脂製の紐７２１に掛けられ、トマト２０１は、紐７２１に沿って生長する。
また、図４においては、２本の紐７２１が、垂直方向に所定の間隔をあけて張られているが、トマト２０１の生長に応じて、さらに、数本の紐７２１が上方に張られる。
なお、図４においては、複数本のトマト２０１が、数十ｃｍの間隔をあけて栽培される。また、トマト２０１の栽培方式（たとえば、水耕栽培方式など）は、特に限定されるものではない。さらに、図示してないが、トマト２０１は、ほぼ真上方向に生育させてもよい。
【００４８】
（温度制御用シート）
温度制御用シート１は、トマト２０１の近傍であって、垂直方向の所定範囲（図４（ｂ）に示す２本の二点鎖線の間の範囲）内に、各流路１３がほぼ垂直方向に並ぶように設置されており、加温用流体としての温水が流れる。なお、温度制御用シート１は、温度制御用シート１の長手方向がほぼ水平となるように設置されている（図４（ａ）参照）。また、栽培する植物に応じて、温度制御用シート１は、植物の近傍であって、水平方向の所定範囲内に、各流路１３がほぼ水平方向に並ぶように設置されたり、あるいは、植物の近傍であって、垂直方向及び水平方向の所定範囲内に、各流路１３がほぼ水平方向及び水平方向に並ぶように設置される（図９参照）。
【００４９】
ここで、トマト２０１の近傍とは、根、茎、葉などを含むトマト２０１全て（なお、養液栽培においては、養液中の根の部分などは、含まない。）の近傍である。また、近傍とは、上方から見て、温度制御用シート１からトマト２０１までの距離が、約１ｍ以内の領域をいい、通常、数十ｃｍ以内の領域である。なお、この領域には、たとえば、温度制御用シート１がトマト２０１の葉と接触する位置も含まれる。そして、上記の垂直方向の所定範囲とは、上記領域を垂直方向に拡大した三次元的空間である。
また、上記の垂直方向は、ほぼ垂直方向であってもよい。
【００５０】
すなわち、本実施形態では、ほぼ水平に延びる温度制御用シート１が、トマト２０１の近傍に、ほぼ垂直方向に設置されている。
このようにすると、温度制御用シート１からの輻射熱、及び、トマト２０１の近傍における熱対流により、トマト２０１に対して、局所的に、かつ、効果的に温度制御を行うことができる。これにより、たとえば、温室栽培においては、温室全体を加温する場合と比べると、大幅な省エネや地球温暖化防止対策（二酸化炭素の排出量の削減など）を図ることができる。
【００５１】
また、植物栽培用温度制御装置１０１は、燃料を大量に消費して温室全体を暖めるものではなく、植物の生長に必要な温冷熱を必要な箇所にのみ局所的に与えることにより、大幅な省エネを実現し、投入エネルギー量とＣＯ２排出量の大幅な削減を実現するものである。局所的に植物が必要とする冷温熱を与えることにより、投入エネルギー量とＣＯ２排出量の大幅な削減が可能となる。なお、熱源としては、従来型のＡ重油加温機やＬＰＧボイラーのほか、冷温水を作り出すヒートポンプなども使用できる。また、環境性能に優れたヒートポンプを冷温熱源として局所暖房を行なったとき、投入エネルギー量として８０％、ＣＯ２排出量として７３％が削減可能（試算値）である。
【００５２】
また、好ましくは、上述したトマト２０１の近傍が、トマト２０１の特定の部分（花芽２０２及び／又は成長点２０３）の近傍（通常、数十ｃｍ以内の領域）であるとよい。
一般的に、上記の特定の部分とは、植物の成長や収穫物の数量・品質に影響を及ぼす部分をいい、トマト、キュウリ、ナス、ピーマン及びシシトウなどにおいては、花芽（花房）及び／又は成長点（茎頂成長点）である。このようにすると、収穫物（果実２０４）の数量や品質を向上させつつ（あるいは、維持しつつ）、省エネなどを図ることができる。
【００５３】
本実施形態では、７つの流路１３を有する温度制御用シート１を使用しており、上段の流路１３には、温度制御用シート用パイプ４１２が挿入され、この温度制御用シート用パイプ４１２は、複数箇所において、結束バンド４１３によりネット４１と連結されている。これにより、温度制御用シート１に温水が供給され、温度制御用シート１が重くなっても、温度制御用シート用パイプ４１２がほぼ均一に温度制御用シート１の重量を受けるので、温度制御用シート１にダメージを与えることなく、温度制御用シート１を取り付けることができる。
【００５４】
また、上から２段目以降の流路１３には、直列的に温水が供給される。すなわち、２段目の流路１３の一端は、連結部１４が、ジョイント２１やホースバンド２１１などを介して供給用ホース３１と連結されており、７段目の流路１３の一端は、連結部１４が、ジョイント２１やホースバンド２１１などを介して回収用ホース３２と連結されている。また、２段目の流路１３の他端と３段目の流路１３の他端は、ジョイント２１、連結ホース２０、ホースバンド２１１などを介して連結されている（なお、図４（ａ）においては、簡略化して示している。）。これと同様にして、３段目から７段目までの流路１３は、直列的に連結されている。
【００５５】
なお、ジョイント２１として、容易に着脱可能なワンタッチ方式のジョイント（クイックジョイントとも呼ばれる。）を用いてもよい。このようにすると、後述するように、トマト２０１の生長に応じて、温水を流す流路１３を自在に選択することができるので、さらに省エネなどを図ることができる。
また、温度制御用シート１は、流路１３の直径、間隔や本数などは、特に限定されるものではない。したがって、たとえば、トマト２０１の状態に応じて、流路１３の直径、間隔や本数などを適宜選択することにより、温度制御の能力や温度制御を行う範囲などを容易に変更することができる。
【００５６】
（ホース）
ホース２は、トマト２０１の近傍であって、垂直方向の所定範囲（図４（ｂ）に示す２本の二点鎖線の間の範囲）内に、水平方向に配設されており、加温用流体としての温水が流れる。この２本のホース２（特願２０１０−１３８５１５号参照）は、温度制御用シート１の上方に配設されており、トマト２０１がさらに成長した際、使用される。すなわち、温度制御用シート１は、ホース２と併用することができ、また、本実施形態において、ホース２の代わりに、さらに、新たな温度制御用シート１を取り付ける構成としてもよい。
なお、２本のホース２は、他端どうしがジョイント２１や連結ホース２０などを介して連結され、一端には、ジョイント２１が接続されている。
【００５７】
（取付け手段）
取付け手段４は、温度制御用シート１やホース２を吊るすためのネット４１、及び、ネット４１を掛けるためのネット用パイプ４１１などを有しており、温度制御用シート１や複数のホース２を取り付けるためのものである。網目状体としてのネット４１は、通常、球技用のネットのように、数ｃｍ間隔で編まれた樹脂製の紐からなるネットが用いられる。また、ネット用パイプ４１１は、通常、金属製のパイプなどが用いられる。このネット用パイプ４１１は、たとえば、地面に立設された枠に係止されたり、温室のフレームに取り付けられるが、特に限定されるものではない。
このようにすると、温度制御用シート１や複数のホース２を容易に取り付けることができ、また、トマト２０１の生育に応じて、温度制御用シート１やホース２の高さを容易に変更することができる。さらに、図示してないが、ネット４１にＳ字フックを掛けることによっても、温度制御用シート１やホース２の高さ位置を容易に変更することができる。また、ネット用パイプ４１１を枠に係止する構成とすることにより、移設などを容易に行うことができる。すなわち、本実施形態のネット４１によって、使い勝手などを向上させることができる。
【００５８】
なお、ネット４１の代わりに、紐状体（図示せず）を用いてもよい。たとえば、紐状体は、一端がネット用パイプ４１１に結び付けられ、他端が温度制御用シート１やホース２に結び付けられる。このようにしても、温度制御用シート１やホース２を取り付けることができる。なお、この紐状体としては、通常、樹脂製の紐が用いられる。
【００５９】
ここで、好ましくは、上述したように、取付け手段４が、温度制御用シート１を吊るすための網目状体（ネット４１）を有し、温度制御用シート１が、流路１３に挿入された管状体（温度制御用シート用パイプ４１２）を介して、ネット４１に吊るされるとよい。このようにすると、温度制御用シート１に温水が供給され、温度制御用シート１が重くなっても、温度制御用シート用パイプ４１２がほぼ均一に温度制御用シート１の重量を受けるので、温度制御用シート１にダメージを与えることなく、温度制御用シート１を取り付けることができる。
【００６０】
また、好ましくは、温度制御用シート１やホース２の近傍に、虫（図示せず）を採取するための粘着テープ４２を設けるとよい。このようにすると、局所的に暖房される温度制御用シート１やホース２の周囲に、温室内の害虫が集まり、集まった害虫を、粘着テープ４２によって一網打尽に補殺することができる。
また、本実施形態では、たとえば、ホース２どうしの間において、粘着テープ４２がネット４１に貼り付けられている。このようにすると、粘着テープ４２を容易に取り付けることができ、また、容易に取り外すことができる。
【００６１】
（流体供給手段）
流体供給手段３は、通常、自然冷媒ヒートポンプ給湯機などが用いられ、温度制御用シート１や複数のホース２に、加温用流体を供給する。加温用流体は、通常、温水（たとえば、３０℃〜９５℃）である。ただし、これに限定されるものではなく、たとえば、地熱を利用した蒸気でもよい。
また、夏季においては、温度制御用シート１やホース２に冷却用流体を流してもよい。冷却用流体は、通常、冷水（たとえば、５℃〜２０℃）である。この冷水は、地下水や、ヒートポンプにより冷却された水などである。これにより、夏季における生鮮野菜などの安定供給に寄与することができ、国内での食糧自給率の向上にも貢献することができる。
なお、流体供給手段３は、ヒートポンプ給湯機及び温水を蓄える蓄熱槽を有する構成としてもよい。このようにすると、ヒートポンプ給湯機が、日中の暖かい外気から効率よく温水を得ることができ、蓄熱槽がその温水を蓄え、夜間に使用することができる。
【００６２】
また、流体供給手段３は、吐出口に供給用ホース３１が接続されており、供給用ホース３１の先端には、ジョイント２１が取り付けられている。この供給用ホース３１は、温度制御用シート１の上から２段目の流路１３の一端と接続されている。さらに、流体供給手段３は、吸込口に回収用ホース３２が接続されており、回収用ホース３２の先端には、ジョイント２１が取り付けられている。この回収用ホース３２は、温度制御用シート１の上から７段目の流路１３の一端と接続されている。
このようにすると、トマト２０１の生長に応じて、上述した花芽２０２や成長点２０３を局所的に加温することができ、さらに効果的に省エネなどを図ることができる。
【００６３】
なお、本実施形態では、温水を上方から下方に流しているが、これに限定されるものではなく、たとえば、温水を下方から上方に流す構成としてもよい。
また、流体供給手段３は、自然冷媒ヒートポンプ給湯機に限定されるものではなく、たとえば、Ａ重油やＬＰＧなどを燃料とする給湯機でもよい。また、温泉、地下水、湧水などを利用できる場合には、これらを直接的に供給してもよい。
【００６４】
（制御手段）
植物栽培用温度制御装置１０１は、温度センサ５１及び制御手段５を有しているとよい。
温度センサ５１は、ネット４１（あるいは、紐７２１）に取り付けられ、トマト２０１の近傍の温度を測定し、測定信号を制御手段５に出力する。また、制御手段５は、温度センサ５１や流体供給手段３と接続され、温度センサ５１からの測定信号にもとづいて、後述するように流体供給手段３を制御する。このようにすると、外気温度の変化に応じて、自動的に温度制御を行うことができる。
なお、流体供給手段３は、後述するように、温水の温度を所定の温度とし、ＯＮ（供給）−ＯＦＦ（停止）制御する構成としてあるが、制御方式はこれに限定されるものではなく、たとえば、温水の温度や流量などを制御してもよい。
【００６５】
ここで、好ましくは、温度センサ５１が、つや消しの黒色塗装された金属板、この金属板の裏面に取り付けられた温度測定部、及び、この温度測定部を覆うように金属板の裏面に取り付けられた断熱部材を有する温度センサ（黒色板温度センサとも呼ばれる。）であるとよい。本実施形態の黒色板温度センサは、たとえば、黒色銅板として縦×横が２００ｍｍ×２００ｍｍ、厚さが０．３ｍｍの正方形状の黒色銅板を用い、温度測定部として測温抵抗体を用い、断熱部材として発泡スチロール製の正方形状の板を用いている。
この黒色温度センサは、トマト２０１の暖めたい部位とほぼ同じ位置に、温度制御用シート１と対向するように設置され、温度制御用シート１からの輻射熱及び熱対流によるトマト２０１の暖めたい部位の温度を、精度よく測定することができる。すなわち、黒色温度センサは、温度制御用シート１からの輻射熱による被加熱物の温度上昇を反映することから、後述するように、トマト２０１が受ける実質的な加熱を精度よく測定することができる。
【００６６】
次に、上記構成の植物栽培用温度制御装置１０１の動作などについて説明する。
まず、トマト２０１が生長し、花芽２０２や成長点２０３が、温度制御用シート１の上から６段目〜７段目の流路１３の高さになると、図示してないが、供給用ホース３１が６段目の流路１３の一端と接続され、回収用ホース３２が７段目の流路１３の一端と接続される。また、温度センサ５１は、６段目と７段目の流路１３のほぼ中間の高さに取り付けられる。さらに、制御手段５は、あらかじめ設定温度（たとえば、１５℃）が入力されている。
【００６７】
植物栽培用温度制御装置１０１は、温度センサ５１が温度を測定しており、制御手段５が入力した測定信号が、たとえば、１５℃になると、制御手段５は、ＯＮ信号を流体供給手段３に出力する。
ＯＮ信号を入力した流体供給手段３は、温水（たとえば、５０℃）を供給用ホース３１に供給する。この流量は、通常、毎分数百ｃｃ（たとえば、２００ｃｃ）である。６段目の流路１３に供給された温水は、流路１３内を流れ、連結ホース２０を経由して、７段目の流路１３内を流れ、回収用ホース３２を経由して流体供給手段３に戻る。戻ってきた温水の温度は、熱を輻射することなどによって、低くなっている（たとえば、２５℃）。
なお、上記流量は、流路１３の長さや直径などに応じて設定され、毎分数百ｃｃに限定されるものではない。
【００６８】
６段目及び７段目の流路１３は、上述したように、トマト２０１の近傍に、ほぼ水平に延びた状態で、垂直方向に並設されている。これらの流路１３は、輻射熱、及び、トマト２０１の近傍における熱対流によって、トマト２０１の花芽２０２や成長点２０３を局所的に、かつ、効果的に加温することができる。
また、上記加温によって、制御手段５が、温度センサ５１から測定信号（たとえば、１７℃の測定信号）を入力すると、制御手段５は、ＯＦＦ信号を流体供給手段３に出力する。そして、流体供給手段３は、温水の供給を停止する。このようなＯＮ−ＯＦＦ制御によって、トマト２０１は、局所的に、かつ、効果的に加温される。
【００６９】
次に、トマト２０１がさらに生長し、花芽２０２や成長点２０３が、温度制御用シート１の上から４段目〜７段目の流路１３の高さになると、供給用ホース３１が４段目の流路１３の一端と接続され、６段目の流路１３と５段目の流路１３とが、連結ホース２０などによって接続される。なお、回収用ホース３２は、７段目の流路１３と接続されている。また、温度センサ５１は、４段目と５段目の流路１３のほぼ中間の高さに取り付けられる。なお、制御手段５は、あらかじめ設定温度（たとえば、１５℃）が入力されている。
【００７０】
植物栽培用温度制御装置１０１は、温度センサ５１が温度を測定しており、制御手段５が入力した測定信号が、たとえば、１５℃になると、制御手段５は、ＯＮ信号を流体供給手段３に出力する。
ＯＮ信号を入力した流体供給手段３は、温水（たとえば、５０℃）を供給用ホース３１に供給する。この流量は、通常、毎分数百ｃｃ（たとえば、４００ｃｃ）である。４段目の流路１３に供給された温水は、流路１３内を流れ、連結ホース２０を経由して、５段目の流路１３内を流れ、同様にして、６段目及び７段目の流路１３を流れ、回収用ホース３２を経由して流体供給手段３に戻る。戻ってきた温水の温度は、熱を輻射することなどによって、低くなっている（たとえば、２５℃）。
【００７１】
４段目〜７段目の流路１３は、上述したように、トマト２０１の近傍に、ほぼ水平に延びた状態で、垂直方向に並設されている。これらの流路１３は、輻射熱、及び、トマト２０１の近傍における熱対流によって、トマト２０１の花芽２０２や成長点２０３を局所的に、かつ、効果的に加温することができる。
【００７２】
また、トマト２０１がさらに生長し、花芽２０２や成長点２０３が、温度制御用シート１の上から２段目〜７段目の流路１３の高さになると、供給用ホース３１が２段目の流路１３の一端と接続され、４段目の流路１３と３段目の流路１３とが、連結ホース２０などによって接続される。なお、回収用ホース３２は、７段目の流路１３と接続されている。また、温度センサ５１は、３段目と４段目の流路１３のほぼ中間の高さに取り付けられる。なお、制御手段５は、あらかじめ設定温度（たとえば、１５℃）が入力されている。
【００７３】
植物栽培用温度制御装置１０１は、温度センサ５１が温度を測定しており、制御手段５が入力した測定信号が、たとえば、１５℃になると、制御手段５は、ＯＮ信号を流体供給手段３に出力する。
ＯＮ信号を入力した流体供給手段３は、温水（たとえば、５０℃）を供給用ホース３１に供給する。この流量は、通常、毎分数百ｃｃ（たとえば、６００ｃｃ）である。２段目の流路１３に供給された温水は、流路１３内を流れ、連結ホース２０を経由して、３段目の流路１３内を流れ、同様にして、４段目、５段目、６段目及び７段目の流路１３を流れ、回収用ホース３２を経由して流体供給手段３に戻る。戻ってきた温水の温度は、熱を輻射することなどによって、低くなっている（たとえば、２５℃）。
【００７４】
２段目〜７段目の流路１３は、上述したように、トマト２０１の近傍に、ほぼ水平に延びた状態で、垂直方向に並設されている。これらの流路１３は、輻射熱、及び、トマト２０１の近傍における熱対流によって、トマト２０１の花芽２０２や成長点２０３を局所的に、かつ、効果的に加温することができる。
【００７５】
このように、植物栽培用温度制御装置１０１は、トマト２０１が生長する場合であっても、トマト２０１の花芽２０２や成長点２０３を効果的に加温しているので、果実２０４温室内全体を加温する場合と比べると、大幅な省エネなどを図ることができる。また、果実２０４温室内全体を加温する場合とほぼ同様に、トマト２０１は、生長し、果実２０４を収穫することができる。
【００７６】
以上説明したように、本実施形態の植物栽培用温度制御装置１０１によれば、温度制御用シート１からの輻射熱、及び、トマト２０１の近傍における熱対流により、トマト２０１に対して、局所的に、かつ、効果的に温度制御を行うことができる。これにより、たとえば、温室栽培においては、温室全体を加温する場合と比べると、大幅な省エネや地球温暖化防止対策（二酸化炭素の排出量の削減など）を図ることができる。
また、温度制御用シート１、連結ホース２０、ジョイント２１、及び、ネット４１などを用いることにより、経済性（温度制御用シート１が廉価であることなど）、作業の安全性（温度制御用シート１が柔らかく、手をぶつけても安全であることなど）、作業性、及び、使い勝手などを大幅に向上させることができる。
また、本実施形態は、様々な応用例を有している。
次に、本実施形態の応用例について、図面を参照して説明する。
【００７７】
＜植物栽培用温度制御装置の第一応用例＞
図５は、本発明の一実施形態にかかる植物栽培用温度制御装置の、第一応用例を説明するための要部の概略図を示している。
図５において、本応用例の植物栽培用温度制御装置１０１ａは、上述した植物栽培用温度制御装置１０１と比べると、流路を変更するための供給用ホース３１や連結ホース２０などの代わりに、弁６１〜６７などを設け、温度制御用シート１の複数の流路１３に直列的及び／又は並列的に温水を流せる構成とした点などが相違する。また、弁６１〜６７は、手動弁としてあるが、遠隔操作可能な電磁弁でもよい。なお、本応用例の他の構成は、植物栽培用温度制御装置１０１とほぼ同様としてある。
したがって、図５において、図４と同様の構成部分については同一の符号を付して、その詳細な説明を省略する。なお、図５において、温度制御用シート１は、取り付けに使用される上から１段目の流路１３を省略してある。
【００７８】
植物栽培用温度制御装置１０１ａは、流体供給手段３の吐出口が、上から２段目、４段目及び６段目の流路１３と並列に接続されている。また、吐出口と、上から２段目、４段目及び６段目の流路１３との間には、弁６５、弁６３及び弁６１が設けられている。また、流体供給手段３の吸込口が、上から３段目、５段目及び７段目のホース２と並列に接続されている。また、吸込口と、上から３段目及び５段目の流路１３との間には、弁６４及び弁６２が設けられている。さらに、上から３段目と４段目の流路１３２は、弁６７を介して接続されており、上から５段目と６段目の流路１３は、弁６６を介して接続されている。
【００７９】
三つの温度センサ５１は、上から２段目と３段目の流路１３の間に、４段目と５段目の流路１３の間に、及び、６段目と７段目の流路１３の間に、ネット４１を利用して取り付けられ、トマト２０１の近傍の温度を測定し、測定信号を制御手段５ａに出力する。
また、制御手段５ａは、三つの温度センサ５１や流体供給手段３と接続され、温度センサ５１からの測定信号にもとづいて、後述するように流体供給手段３を制御する。このようにすると、外気温度の変化に応じて、トマト２０１の近傍の温度が変化しようとしても、自動的に温度制御を行うことができる。
なお、その他の構成は、上述した植物栽培用温度制御装置１０１とほぼ同様としてある。
【００８０】
次に、上記構成の植物栽培用温度制御装置１０１ａの動作などについて説明する。
植物栽培用温度制御装置１０１ａは、弁６１〜６７の操作によって、植物栽培用温度制御装置１０１とほぼ同様に、各流路１３に直列的に温水を流すことができる。さらに、弁６１、弁６６、弁６３及び弁６４を閉じ、弁６２、弁６７及び弁６５を開くと、上から２段目〜５段目の流路１３に温水を流すことができる。
【００８１】
また、たとえば、流路１３が数十ｍの長さを有しているとき、植物栽培用温度制御装置１０１のように、上から２段目の流路１３から７段目の流路１３まで、直列的に温水を流すと、下方の流路１３を流れる水温が低くなりすぎ、必要な加温ができない場合がある。かかる場合、弁６１、弁６２、弁６３、弁６４及び弁６５を開き、弁６６及び弁６７を閉じると、上から２段目と３段目の流路１３、４段目と５段目の流路１３、及び、６段目と７段目の流路１３に並列的に温水を流すことができ、上記の不具合を回避することができる。
【００８２】
さらに、上記の並列的に温水を流す場合において、弁６１〜６７を遠隔操作可能な電磁弁とし、制御手段５ａが、三つの温度センサ５１からの測定信号にもとづいて、弁６１、弁６３及び弁６５をＯＮ−ＯＦＦ制御する構成としてもよい。このようにすると、温度制御の精度を向上させることができ、大きく生長したトマト２０１に対しても、ほぼ均一な加温を行うことができる。さらに、制御手段５ａの操作パネルに入力するだけで、弁６１〜６７を遠隔操作することができるので、作業性や使い勝手を向上させることができる。
【００８３】
また、粘着テープ４２が上から２段目と３段目の流路１３の間に設けられている場合、２段目と３段目の流路１３にだけ温水を流し、この周囲の温度を虫が好む温度とすることにより、虫をこの近辺に寄せ集めてもよい。このようにすると、粘着テープ４２が効率よく虫を捕獲することができ、植物栽培用温度制御装置１０１ａに付加価値を向上させることができる。
【００８４】
このように、本応用例の植物栽培用温度制御装置１０１ａは、上述した実施形態の植物栽培用温度制御装置１０１とほぼ同様の効果を奏するとともに、温度制御の品質や精度、作業性、使い勝手、及び、付加価値などを向上させることができる。
【００８５】
＜植物栽培用温度制御装置の第二応用例＞
図６は、本発明の一実施形態にかかる植物栽培用温度制御装置の、第二応用例を説明するための要部の概略図を示している。
図６において、本応用例の植物栽培用温度制御装置１０１ｂは、上述した植物栽培用温度制御装置１０１と比べると、取付け手段４が、温度制御用シート１などを昇降させる昇降装置４３、及び、温度制御用シート１などを水平移動させる水平移動装置４４を有する点などが相違する。さらに、本応用例では、温度センサ５１は、トマト２０１の暖めたい部位とほぼ同じ位置に（たとえば、トマト２０１を支持する棒に）取り付けられている。また、粘着テープ４２は、トマト２０１の上方に（たとえば、トマト２０１を支持する棒の上方端部に）取り付けられている。
なお、本応用例の他の構成は、植物栽培用温度制御装置１０１とほぼ同様としてある。また、トマト２０１の左側に温度制御用シート１などを設けているが、これに限定されるものではなく、たとえば、右側、あるいは、左右両側に、温度制御用シート１２などを設けてもよい。
したがって、図６において、図４と同様の構成部分については同一の符号を付して、その詳細な説明を省略する。
【００８６】
本応用例の昇降装置４３は、回転自在に支持されたネット用パイプ４１１を回転させるモータ、チェーン、スプロケットなどを有しており、ネット用パイプ４１１に取り付けられたネット４１を、温度制御用シート１などとともに、巻き上げる構成としてある。このようにすると、たとえば、果実２０４を採るときに、温度制御用シート１などを容易に巻き上げることができ、果実２０４を採る作業性を向上させることができる。
なお、昇降装置４３の構成は、上記に限定されるものではない。たとえば、図示してないが、ネット用パイプ４１１を昇降させる構成としてもよい。また、モータなどの駆動手段を用いず、滑車などを用いて手動にて昇降させる構成としてもよい。
【００８７】
本応用例の水平移動装置４４は、リニアベアリング、ボールねじ、モータなどを有しており、ネット用パイプ４１１などを支持する棒状部材の立設された往復移動部材を水平方向に移動させる構成としてある。このようにすると、たとえば、トマト２０１の生長に応じて、温度制御用シート１などの位置を容易に移動させることができ、トマト２０１から離れた状態で、かつ、トマト２０１に接近させることができる。これにより、局所的にトマト２０１を加温する効果を向上させることができる。また、暖房が不要な日中は、温度制御用シート１を地面付近まで下げることにより、温度制御用シート１による太陽光の減衰を避け、葉面により多くの日光を当てることも可能である。
なお、水平移動装置４４の構成は、上記に限定されるものではない。たとえば、ローラを介してレール上を走行する構成としてもよい。また、モータなどの駆動手段を用いず、手動にて移動させる構成としてもよい。
また、水平移動装置４４や昇降装置４３は、地上に設けられているが、これに限定されるものではなく、たとえば、ビニールハウスの天井のフレームに設けられてもよい。
【００８８】
このように、本応用例の植物栽培用温度制御装置１０１ｂは、上述した実施形態の植物栽培用温度制御装置１０１とほぼ同様の効果を奏するとともに、作業性や加温効果などをさらに向上させることができる。
【００８９】
［植物栽培用温度制御方法の実施形態］
また、本発明は、植物栽培用温度制御方法の発明としても有効である。
本実施形態の植物栽培用温度制御方法は、上述した植物栽培用温度制御装置１０１を用いて、トマト２０１の近傍であって、垂直方向の所定範囲内に、温度制御用シート１を設置し、複数の流路１３に温水を流す方法としてある。すなわち、温度制御用シート１は、トマト２０１の近傍であって、垂直方向の所定範囲（図４（ｂ）に示す２本の二点鎖線の間の範囲）内に、各流路１３がほぼ垂直方向に並ぶように設置されており、加温用流体としての温水が流れる。なお、温度制御用シート１は、温度制御用シート１の長手方向がほぼ水平となるように設置されている（図４（ａ）参照）。
このようにすると、温度制御用シート１からの輻射熱、及び、トマト２０１の近傍における熱対流により、トマト２０１に対して、局所的に、かつ、効果的に温度制御を行うことができる。これにより、たとえば、温室栽培においては、温室全体を加温する場合と比べると、大幅な省エネなどを図ることができる。
【００９０】
また、好ましくは、上述したトマト２０１の近傍が、トマト２０１の特定の部分（花芽２０２及び／又は成長点２０３）の近傍（通常、数十ｃｍ以内の領域）であるとよい。
一般的に、上記の特定の部分とは、植物の成長や収穫物の数量・品質に影響を及ぼす部分をいい、トマト、キュウリ、ナス、ピーマン及びシシトウなどにおいては、花芽（花房）及び／又は成長点（茎頂成長点）である。このようにすると、収穫物（果実２０４）の数量や品質を向上させつつ（あるいは、維持しつつ）、省エネなどを図ることができる。
なお、本実施形態の植物栽培用温度制御方法は、上述した植物栽培用温度制御装置１０１、１ａ、１ｂなど（後述する植物栽培用プラント１０３などをも含む。）の構成（たとえば、ネット４１や供給用ホース３１など）を、植物栽培用温度制御方法の特徴として適用することができる。
【００９１】
以上説明したように、本実施形態の植物栽培用温度制御方法によれば、温度制御用シート１からの輻射熱、及び、トマト２０１の近傍における熱対流により、トマト２０１に対して、局所的に、かつ、効果的に温度制御を行うことができる。これにより、たとえば、温室栽培においては、温室全体を加温する場合と比べると、大幅な省エネや地球温暖化防止対策（二酸化炭素の排出量の削減など）を図ることができる。さらに、温度制御用シート１などを用いることにより、経済性（温度制御用シート１が廉価であることなど）、作業の安全性（温度制御用シート１が柔らかく、手をぶつけても安全であることなど）、作業性、及び、使い勝手などを大幅に向上させることができる。
【００９２】
［植物栽培用ユニットの実施形態］
また、本発明は、植物栽培用ユニットの発明としても有効である。
図７は、本発明の一実施形態にかかる植物栽培用ユニットの要部の概略斜視図を示している。
図７において、本実施形態の植物栽培用ユニット１０２は、水耕栽培用ベッド７１、枠７２、支柱７３、位置決め手段７４、及び、上述した植物栽培用温度制御装置１０１などを備えている。
したがって、図７において、図４に示す植物栽培用温度制御装置１０１と同様の構成部分については同一の符号を付して、その詳細な説明を省略する。
なお、植物栽培用ユニット１０２の構成を理解しやすいように、芽を出したばかりのトマト２０１を図示してある。
また、一つの植物栽培用ユニット１０２を図示してあるが、これに限定されるものではなく、通常、水耕栽培用ベッド７１の長手方向に、複数の水耕栽培用ベッド７１が並べて設置される。この場合、図示した温度制御用シート１と、図示していない隣の温度制御用シート１とは、連結ホース２０などにより、容易に接続することができる。
【００９３】
（水耕栽培用ベッド）
水耕栽培用ベッド７１は、細長い矩形箱状であり、内部に養液が入れられており、上部が樹脂製のシートで覆われている。通常、トマト２０１は、水耕栽培用ベッド７１の長手方向に二列に並べて植えられており、植物栽培用温度制御装置１０１の温度制御用シート１が、並べて植えられたトマト２０１の間に（上記二列の間のほぼ中央に）設けられている。
このようにすると、複数のトマト２０１に対して、効率よく温度制御を行うことができる。
【００９４】
なお、トマト２０１は、通常、水耕栽培用ベッド７１の長手方向に、二列に並べて植えられており、温度制御用シート１は、二列に並べて植えられたトマト２０１の間に設けられる。ただし、これに限定されるものではなく、たとえば、トマト２０１が三列以上に並べて植えられている場合、列状に並べて植えられたトマト２０１の間に、温度制御用シート１を設けてもよい。
また、本実施形態では、栽培用ベッドとして、載置式の水耕栽培用ベッド７１を備えた構成としてあるが、これに限定されるものではない。たとえば、図示してないが、噴霧耕栽培用ベッド、培地を用いた固形培地耕栽培用ベッド、培地に土を用いた養液土耕栽培用ベッド、土耕栽培用ベッドなどを用いてもよい。さらに、吊り下げ式の栽培用ベッドを用いてもよい。
【００９５】
（枠）
枠７２（フレームとも呼ばれる。）は、金属製のパイプ、及び、パイプどうしを連結する連結金具などを有している。この枠７２は、ほぼ直方体状に組み立てられ、底部に、水耕栽培用ベッド７１が取り付けられる。この枠７２は、紐７２１（図４参照）が張られ、多数のトマト２０１の重量を受けるので、十分な剛性を有している。また、レンガなどを介して地面に設置されるので、枠７２が地面に沈み込むといった不具合を防止することができる。
【００９６】
また、枠７２は、長手方向の両端部に、上パイプ７２２を有しており、一対の上パイプ７２２のほぼ中央部に支柱７３が取り付けられている。一対の支柱７３の上部に、先端が上方に曲がった係止パイプ７３２が取り付けられており、ネット４１が容易に係止される。このように、上述した植物栽培用温度制御装置１０１の優れた作業性などは、植物栽培用ユニット１０２においても、十分発揮することができる。
【００９７】
ここで、好ましくは、枠７２の長手方向の両端部に、温度制御用シート１が水耕栽培用ベッド７１の短手方向に移動することを抑制するための、支柱７３が設けられているとよい。すなわち、支柱７３は、下方に長い形状としてあり、図示してないが、ネット４１の両側の中段部や下部を、紐などで支柱７３に結び付けることができ、温度制御用シート１の下端の接合部分１２が、結束バンド４１３によりネット４１につながれている。このようにすると、複数の水耕栽培用ベッド７１が並べて設置されているときであっても（複数の温度制御用シート１が水平方向に接続された場合であっても）、数十ｍの長さの温度制御用シート１が複数の支柱７３と連結されているので、温度制御用シート１が短手方向に移動（振動）して、生長したトマト２０１にダメージを与えるといった不具合を効果的に防止することができる。
【００９８】
ところで、水耕栽培においては、トマト２０１の根が養液に適度に浸かっていることが重要である。このため、水耕栽培用ベッド７１を取り付ける際、水耕栽培用ベッド７１の水平度などが慎重に調整され、また、取り付け後にも、上記水平度がくるわないようにする必要がある。すなわち、温水が流れる温度制御用シート１は、重くなるので、その重量によって上記水平度に悪影響を与えない構造が要望されている。
また、トマト２０１を植え替える際などに、水耕栽培用ベッド７１を枠７２から容易に取り外すことが可能な構造であることも要望されている。
次に、上記要望に応えるための支柱７３などについて、図面を参照して説明する。
【００９９】
図８は、本発明の一実施形態にかかる植物栽培用ユニットの、支柱を説明するための要部の概略斜視図であり、（ａ）は垂直状態の拡大図を示しており、（ｂ）は傾斜状態の拡大図を示している。
図８において、支柱７３は、金属製のパイプであり、上部が、回動式パイプジョイント７３１によって、上パイプ７２２に取り付けられている（吊り下げられている）。すなわち、回動式パイプジョイント７３１は、上部位置決め手段として機能し、位置決めした状態で、支柱７３を上パイプ７２２に吊るすことができる。また、回動式パイプジョイント７３１によって、支柱７３や温水が流れている温度制御用シート１の重量は、十分な剛性などを有する枠７２が全て受ける。したがって、上記水耕栽培用ベッド７１の水平度がくるうといった不具合を確実に回避することができる。
【０１００】
また、支柱７３の下部は、位置決め手段７４によって、下パイプ７２３に対して位置決めされている。この下部の位置決め手段７４は、固定パイプ７４１及び連結パイプ７４２などを有している。
固定パイプ７４１は、支柱７３と同じ外径を有する（たとえば、長さが十数ｃｍの）金属製のパイプである。この固定パイプ７４１は、支柱７３の下部から離れており（支柱７３の重量を受けない状態で）、かつ、地面から浮いた状態で、下パイプ７２３のほぼ中央部に、垂直に固定されている。また、連結パイプ７４２は、支柱７３の下部及び固定パイプ７４１の上部が挿入される（たとえば、長さが十数ｃｍの）金属製のパイプである。すなわち、図８（ａ）に示すように、位置決め手段７４によって、垂直状態の支柱７３の下部が、該支柱７３などの自重を受けることなく位置決めされる。
【０１０１】
さらに、支柱７３は、図８（ｂ）に示すように、連結パイプ７４２を上方に移動させることにより、固定パイプ７４１との係止が解除されるので、回動式パイプジョイント７３１を支点に回動させることができる。これにより、水耕栽培用ベッド７１を容易に取り出すことができる。
なお、位置決め手段７４は、上記構成に限定されるものではなく、たとえば、下パイプ７２３及び固定パイプ７４１の代わりに、図示してないが、地面に載置される円板状の底板、及び、この底板に突設された固定パイプ７４１を有する構成としてもよい。
【０１０２】
以上説明したように、本実施形態の植物栽培用ユニット１０２によれば、上述した植物栽培用温度制御装置１０１とほぼ同様に、温度制御用シート１からの輻射熱、及び、トマト２０１の近傍における熱対流により、水耕栽培されるトマト２０１に対して、局所的に、かつ、効果的に温度制御を行うことができる。これにより、たとえば、温室栽培においては、温室全体を加温する場合と比べると、大幅な省エネを図ることができる。また、温度制御用シート１、連結ホース２０、ジョイント２１、及び、ネット４１などを用いることにより、経済性、作業の安全性、作業性、及び、使い勝手などを大幅に向上させることができる。
さらに、支柱７３や位置決め手段７４を備えることにより、支柱７３や温水が流れる温度制御用シート１の重量によって地面の傾斜が変化し、これにより、水耕栽培用ベッド７１に悪影響を与えるといった不具合を確実に防止することができる。
【０１０３】
また、本実施形態は、様々な応用例を有している。すなわち、植物栽培用ユニット１０２は、水耕栽培用ベッド７１が細長い矩形箱状であり、トマト２０１が、水耕栽培用ベッド７１の長手方向に並べて植えられており、温度制御用シート１が、並べて植えられたトマト２０１の側面方向の位置に、流路１３が垂直方向に並ぶ状態で、設けられている。この植物栽培用ユニット１０２は、トマト２０１の他に、キュウリ、高級メロン、インゲン、サヤエンドウ等のように、垂直方向に生育・誘引される植物にも適用することができる。ただし、温度制御用シート１が設けられる位置や状態は、これに限定されるものではなく、たとえば、栽培される植物に応じて、適宜、設定される。
次に、本実施形態の応用例について、図面を参照して説明する。
【０１０４】
＜植物栽培用ユニットの応用例＞
図９は、本発明の一実施形態にかかる植物栽培用ユニットの、応用例を説明するための要部の概略図を示している。
図９において、本応用例の植物栽培用ユニットは、栽培される植物に応じて、温度制御用シート１、１ｂが設けられる位置や状態が設定されている。
すなわち、図９（ａ）は、ニラ、ホウレンソウ等のように、草丈の低い植物が面状に定植される場合を示しており、ベッド（あるいは、畝）と平行に延びる（流路１３が水平方向に並ぶ状態で）温度制御用シート１が、植物の上方の位置に、植物を覆うように設けられている。このようにすると、ニラ、ホウレンソウ等に対して、局所的に、かつ、効果的に温度制御を行うことができる。
なお、上記の温度制御用シート１は、たとえば、ベッドなどに固定された枠など（図示せず）に取り付けられる。
【０１０５】
また、図９（ｂ）は、キャベツ等の場合を示しており、図９（ａ）の場合と同様に、ベッド（あるいは、畝）と平行に延びる（流路１３が水平方向に並ぶ状態で）温度制御用シート１が、植物の上方の位置に、植物を覆うように設けられている。このようにすると、キャベツ等に対して、局所的に、かつ、効果的に温度制御を行うことができる。
【０１０６】
また、図９（ｃ）、９（ｄ）は、ベッド（あるいは、畝）に定植されるイチゴの場合を示しており、ベッド（あるいは、畝）と平行に延びる（流路１３が水平方向に並ぶ状態で）温度制御用シート１ｂが、植物の下方の位置に設けられている。このようにすると、イチゴ等に対して、局所的に、かつ、効果的に温度制御を行うことができる。
また、温度制御用シート１ｂは、開口部１２２にイチゴが定植されており、根本のクラウンを局所的に加温や冷却ができ、また、近接する葉なども暖める局所暖房効果をも得ることができ、温度制御をより効果的に行うことができる。
さらに、温度制御用シート１ｂは、各流路１３が接合部分１２ｂを介してつながっているので、ベッド（あるいは、畝）に載置する際、容易に、かつ、安定した状態で載置することができ、作業性などを向上させることができる。
また、一つの畝に、一又は二以上の列で作物を植える場合、列の数に応じて、農業者が容易に温度制御用シート１ｂを切断することができるので、使い勝手などを向上させることができる。
【０１０７】
また、図９（ｅ）は、ナス、ピーマン、シシトウ等のように、生育過程でＹの字・二股に分かれる植物の場合を示している。ベッド（あるいは、畝）と平行に延びる（流路１３が水平方向に並ぶ状態で）温度制御用シート１は、植物の上方の位置に、植物を覆うように設けられており、また、温度制御用シート１は、並べて植えられたナスなどの両側面方向の位置に、流路１３が垂直方向に並ぶ状態で設けられている。このようにすると、ナス、ピーマン、シシトウ等に対して、局所的に、かつ、効果的に温度制御を行うことができる。
【０１０８】
また、図９（ｆ）は、キクなどの花卉類の場合を示しており、図９（ｅ）の場合と同様に、ベッド（あるいは、畝）と平行に延びる（流路１３が水平方向に並ぶ状態で）温度制御用シート１は、植物の上方の位置に、植物を覆うように設けられており、また、温度制御用シート１は、並べて植えられたナスなどの両側面方向の位置に、流路１３が垂直方向に並ぶ状態で設けられている。このようにすると、キクなどの花卉類に対して、局所的に、かつ、効果的に温度制御を行うことができる。
また、図９（ｅ）、９（ｆ）に示す場合、複数の流路１３は、接合部分１２を介してつながっているので、設置などを容易に行うことができ、作業性などを向上させることができる。
【０１０９】
以上説明したように、温度制御用シート１、１ｂが設けられる位置や状態は、栽培される植物に応じて、適宜、設定され、このようにすると、局所的に、かつ、効果的に温度制御を行うことができる。
なお、図９（ｃ）、９（ｄ）に示す場合、温度制御用シート１ｂが、植物の下方の位置に、流路１３が水平方向に並ぶ状態で設けられているが、これに限定されるものではなく、たとえば、図示してないが、温度制御用シート１ｂが、さらに、植物の上方の位置に、流路１３が水平方向に並ぶ状態で設けられもよく、より効果的に温度制御を行うことができる。
【０１１０】
［植物栽培用プラントの実施形態］
また、本発明は、植物栽培用プラントの発明としても有効である。
図１０は、本発明の一実施形態にかかる植物栽培用プラントの要部の概略図を示している。
図１０において、本実施形態の植物栽培用プラント１０３は、トマト２０１が栽培される複数の栽培用ベッド８２、植物栽培用温度制御装置１０１ｂ´、及び、建物８１などを備えている。また、植物栽培用温度制御装置１０１ｂ´は、上述した植物栽培用温度制御装置１０１ｂと比べると、レールやローラなどを有する水平移動装置４４´などを備えている点が相違する。
したがって、図１０において、図６に示す植物栽培用温度制御装置１０１ｂと同様の構成部分については同一の符号を付して、その詳細な説明を省略する。
【０１１１】
（建物）
建物８１は、通常、太陽光を透過するガラスや樹脂などからなる建築資材が、壁や天井などに使用されており、たとえば、トマト２０１に対して、ビニールハウスのような環境を提供することができる。この建物８１は、複数（通常、数十〜数百）の栽培用ベッド８２を収容する。
なお、建物８１は、植物の栽培に適した構造であればよく、特に限定されるものではない。
また、建物８１は、太陽光の照射量を調整（抑制）するために、半透明の建築資材などを必要に応じて使用することが可能な構造としてもよい。さらに、太陽光の照射量を調整（補填）するために、照光手段（高輝度ＬＥＤなど）を備える構造としてもよい。
【０１１２】
（植物栽培用温度制御装置）
植物栽培用温度制御装置１０１ｂ´は、上述したように、植物栽培用温度制御装置１０１ｂと比べると、レールやローラなどを有する水平移動装置４４´を備えている点などが相違する。この水平移動装置４４´は、建物８１内に敷設されたレール、走行用のローラ、モータなどを有しており、ネット用パイプ４１１などを支持する棒状部材の立設された往復移動部材を水平方向に移動させる構成としてある。
なお、水平移動装置４４´や昇降装置４３は、建物８１内の床に設けられているが、これに限定されるものではなく、たとえば、建物８１の天井のフレームなどに設けられてもよい。
【０１１３】
（栽培用ベッド）
栽培用ベッド８２は、たとえば、細長い矩形箱状としてあり、養液土耕栽培用ベッドや土耕栽培用ベッドである。本実施形態では、トマト２０１は、栽培用ベッド８２の長手方向に一列に並べて植えられている。また、栽培用ベッド８２は、通常、両端に棒状部材が立設されており、これらの棒状部材には、トマト２０１を這わすために、紐などが張られている。
なお、トマト２０１の栽培方式（たとえば、養液土耕栽培方式など）は、特に限定されるものではない。また、栽培用ベッド８２は、載置式としてあるが、これに限定されるものではなく、たとえば、図示してないが、吊り下げ式としてもよい。
【０１１４】
また、本実施形態では、栽培用ベッド８２を水平方向に移動させる移動手段８３を備えている。この移動手段８３は、建物８１内に敷設されたレール、走行用のローラ、モータなどを有しており、通常、栽培用ベッド８２の端部が、移動手段８３に載置された状態で、移動手段８３に取り付けられる。
なお、移動手段８３は、建物８１内の床に設けられているが、これに限定されるものではなく、たとえば、建物８１の天井のフレームなどに設けられてもよい。
【０１１５】
次に、上記構成の植物栽培用プラント１０３の動作などについて、図面を参照して説明する。
まず、植物栽培用プラント１０３は、夜間においては、図１０に示すように、移動手段８３が作動し、列状に栽培されているトマト２０１どうしを接近させる。また、昇降装置４３及び水平移動装置４４´が作動し、トマト２０１と接近した位置（トマト２０１どうしの間の位置を含む。）に、温度制御用シート１が吊り下げられる。このようにすると、トマト２０１と温度制御用シート１が密集した状態となるので、加温効果を向上させることができ、省エネ効果を向上させることができる。
【０１１６】
ここで、好ましくは、密集させたトマト２０１をビニールカーテンなどで囲ったり覆ってもよい。すなわち、植物栽培用プラント１０３は、移動手段８３により密集させたトマト２０１、及び、植物栽培用温度制御装置１０１ｂ´を、ほぼ密閉した状態で収容する一又は二以上の温度制御室（図示せず）を有する構成とするとよい。この温度制御室には、通常、ガラスや樹脂などの建築資材（たとえば、断熱性を有する資材）が用いられる。
このようにすると、さらに、省エネ効果を向上させることができる。
また、上記の温度制御室は、ヒートポンプなどの温風（あるいは、冷風）によっても加温（あるいは、冷却）される構成としてもよい。このようにすると、温度制御の性能や信頼性などを向上させることができる。
【０１１７】
さらに、上記の温度制御室は、生物農薬などの農薬を散布する農薬散布手段を有する構成としてもよい。この農薬散布手段は、噴出機、ファン及びダクトなどを有している。なお、農薬散布手段は、ダクトだけでもよい。
上記の農薬散布手段によって、通常、生物農薬としてバチルス菌が、温度制御室内に気中散布される。生物農薬としては、出光興産製：ボトキラー（登録商標）水和剤などがあり、灰色カビ病やうどんこ病の防除に有効であり、生育初期から栽培後期・収穫期までいつでも使用・散布が可能である。
このようにすると、密集されたトマト２０１に、効率よく生物農薬を散布することができる。
【０１１８】
次に、植物栽培用プラント１０３の昼間の状態について説明する。
図１１は、本発明の一実施形態にかかる植物栽培用プラントの、昼間における要部の概略図を示している。
植物栽培用プラント１０３は、昼間においては、図１１に示すように、移動手段８３が作動し、列状に栽培されているトマト２０１どうしが離れるようにする。このようにすると、トマト２０１が十分日光を受けることができる。
ここで、上記トマト２０１どうしの距離は、十分日光を受けることができる距離に限定されるものではなく、たとえば、さらに離れて、果実２０４の採取などの作業を容易に行える距離であってもよい。
【０１１９】
また、植物栽培用プラント１０３は、昇降装置４３などが作動し、温度制御用シート１が吊り上げられる。このようにすると、果実２０４の採取などの作業を容易に行うことができる。
さらに、昼間においても、トマト２０１を局所的に加温したい場合、図示してないが、昇降装置４３や水平移動装置４４´が作動し、トマト２０１と接近した位置に、温度制御用シート１を吊り下げることができる。このようにすると、トマト２０１は、十分日光を受けることができ、かつ、局所的に加温される。
【０１２０】
以上説明したように、本実施形態の植物栽培用プラント１０３によれば、上述した植物栽培用温度制御装置１０１ｂとほぼ同様に、温度制御用シート１からの輻射熱、及び、トマト２０１の近傍における熱対流により、水耕栽培されるトマト２０１に対して、局所的に、かつ、効果的に温度制御を行うことができる。これにより、たとえば、工場栽培においては、建物８１全体を加温する場合と比べると、大幅な省エネを図ることができる。
また、トマト２０１が十分日光を受けることができる状態、果実２０４の採取などの作業を容易に行うことができる状態、及び、トマト２０１が十分日光を受けることができ、かつ、局所的に加温される状態などを容易に実現することができ、植物栽培用プラント１０３としての性能や付加価値などを大幅に向上させることができる。
【０１２１】
以上、本発明の温度制御用シート、植物栽培用温度制御方法、植物栽培用温度制御装置、植物栽培用ユニット、及び、植物栽培用プラントについて、好ましい実施形態などを示して説明したが、本発明に係る温度制御用シート、植物栽培用温度制御方法、植物栽培用温度制御装置、植物栽培用ユニット、及び、植物栽培用プラントは、上述した実施形態などにのみ限定されるものではなく、本発明の範囲で種々の変更実施が可能であることは言うまでもない。
例えば、図示してないが、植物栽培用ユニット１０２などは、枠７２をビニールシートで覆う構成としてもよく、このようにすると、温度制御用シート１からの熱をさらに有効に利用することができる。
さらに、植物栽培用温度制御装置１０１などは、ネット４１に様々な用途のホース（たとえば、養液を噴霧（供給）するためのホースや、打ち水の原理を利用して、散水するためのホース）を取り付ける構成としてもよい。このようにすると、植物栽培用温度制御装置１０１、植物栽培用ユニット１０２及び植物栽培用プラント１０３などの付加価値を向上させることができる。
【符号の説明】
【０１２２】
１、１ａ、１ｂ、１ｃ  温度制御用シート
１０１、１０１ａ、１０１ｂ、１０１ｂ´  植物栽培用温度制御装置
１０２  植物栽培用ユニット
１０３  植物栽培用プラント  
２  ホース
３  流体供給手段
４  取付け手段  
５、５ａ  制御手段
１１、１１ｂ  シート本体  
１２、１２ｂ  接合部分  
１３  流路
１４  連結部
１１１  開口部
１２１、１２１ｂ  切込み
１２２  開口部
１２３  ミシン目
２０  連結ホース  
２１  ジョイント  
２２  バルブ  
３１  供給用ホース  
３２  回収用ホース  
４１  ネット  
４２  粘着テープ  
４３  昇降装置
４４、４４´  水平移動装置
５１  温度センサ
６１、６２、６３、６４、６５、６６、６７  弁
７１  水耕栽培用ベッド  
７２  枠  
７３  支柱
７４  位置決め手段
８１  建物
８２  栽培用ベッド
８３  移動手段
２０１  トマト
２０２  花芽  
２０３  成長点  
２０４  果実
２１１  ホースバンド
４１１  ネット用パイプ  
４１２  温度制御用シート用パイプ
４１３  結束バンド
７２１  紐  
７２２  上パイプ  
７２３  下パイプ
７３１  回動式パイプジョイント
７４１  固定パイプ  
７４２  連結パイプ  
【図１】
2012170349.tif 000003
【図２】
2012170349.tif 000004
【図３ａ】
2012170349.tif 000005
【図３ｂ】
2012170349.tif 000006
【図３ｃ】
2012170349.tif 000007
【図４】
2012170349.tif 000008
【図５】
2012170349.tif 000009
【図６】
2012170349.tif 000010
【図７】
2012170349.tif 000011
【図８】
2012170349.tif 000012
【図９】
2012170349.tif 000013
【図１０】
2012170349.tif 000014
【図１１】
2012170349.tif 000015